(57)【要約】      （修正有）【課題】ガム等の外装パッケージに関する包装体は、製品の断面に沿って開封する『あけくち』から始まる開封口が存在し『あけくち』を引っ張り、製品を中から取り出すことができる。それは板状タイプのガムなどの取り出しには便利であるが、ブロック型形状の菓子類では、直列に縦長に包装されているため、開封口付近の先の部分は開封口を広げる必要があり製品を容易に取り出せない。製品ひと粒ひと粒を容易に取り出しできるようにする。【解決手段】外装パッケージの開封口の『あけくち』を製品先端中央部分の上部寄りに幅を広げて配置することで、製品を縦方向に引っ張りながら縦断し、取り出したい個数分のみ移動するだけで、容易に製品を取り出すことができる。【選択図】図１
2012096848.tif 000002
【特許請求の範囲】
【請求項１】
ひと口サイズのブロック型形状のガム・キャンディ・チューイングキャンディ等の個別包装タイプの菓子類数個を、複数個直列に収納して販売するための、菓子用外装パッケージのうち、開封方法に係る『あけくち』の構造、位置、形状、方法等。
【発明の詳細な説明】
【技術分野】
【０００１】  本発明は、ひと口サイズのブロック型形状のガム・キャンディ・チューイングキャンディ等の個別包装タイプの菓子類を、複数個直列に収納して販売するための、菓子用外装パッケージに関するものである。
【背景技術】
【０００２】  ひと口サイズの個別包装のブロック型ガム・キャンディ・チューイングキャンディ等の菓子類は、数個を直列に並べて、直方体形状に包装した状態で販売されている。これらの外装パッケージには、『あけくち』が付帯してあり、それを引っ張ることで、容易に開封できる。
【発明の概要】
【発明が解決しようとする課題】
【０００３】  従来のタイプの『あけくち』は、板状タイプのガムのような菓子類の形状のものであれば、すべてを均一に取り出すのに非常に便利かつ有効的であるが、ブロック型の菓子類の場合においては、開封口付近の先端側の一個と、開封口付近からの数個は容易に取り出せるが、それより奥の部分においては、外装パッケージを徐々に破いて開封口を広げていきながら、製品を取り出さなければならない。【０００４】  その際に、不均等、不変則に破られた紙くずがバラバラにその都度発生する。
【課題を解決するための手段】
【０００５】  本発明は、前記のような問題点を解決すべく、紙もしくは、ビニール、プラスチック、アルミ等の複合体（貼り合わせ等）からなる従来型直方体形状の外装パッケージの先端側付近の横に設けられている『あけくち』の部分を、製品先端部分の上部寄り中央に、幅を広げて配置することとした。【０００６】  従来の『あけくち』の部分のサイズを数倍程度に拡大し、その中央に製品の開口部より前部の端から後部の端に至るまで、製品上部（天井）裏側の中央にビニールもしくは、プラスチック製の帯状のテープを貼り、切り口を最後部まで美しく均等に開口するようにしたものである。【０００７】  『あけくち』を製品断面に沿って横幅方向に対して引っ張り開封する従来の開封方法とは異なり、製品を縦方向へ縦断しながら、取り出したい個数分のみを移動しながら引っ張る開封方法である。
【発明の効果】
【０００８】  『あけくち』の部分を製品先端部分の上部寄り中央に、従来製品の数倍程度に幅を広げて配置した。これを、上向きに製品上部までめくり、『あけくち』を製品後方まで必要に応じて徐々に引っ張り開口していく。取り出したい数の所までめくって引っ張っていけば、その都度必要な数の製品ひと粒ひと粒を容易かつ合理的に取り出すことができる。【０００９】  また、外装パッケージのゴミの発生点数を抑えることができ、開封口の見栄えもよい。【００１０】  これにより、ひと粒ひと粒個別包装されたブロック型形状のガム・キャンディ・チューイングキャンディ等の菓子類ひと粒ひと粒を、容易かつ均一に取り出せるようになる。【００１１】  また、引っ張る際に使用した『あけくち』は、製品側の内部へ裏返せば、中の製品がバラバラになるのを防ぐことができ、ストッパーの役割も果たす。
【図面の簡単な説明】
【００１２】
【図１】本発明に係る菓子類用包装パッケージの完成を示す斜視図である。
【図２】図１に示す菓子類用包装パッケージを形成する板状の包装紙内側（内部）の展開図である。
【図３】図１と同じく、菓子類用包装パッケージの内部を透視した斜視図である。
【図４】図１および図３の反対側の斜視図である。
【図５】図１および図３と同じ方向より、菓子類用包装パッケージの上下を逆さまにした斜視図である。
【図６】図２と同じく、菓子類用包装パッケージを形成する板状の包装紙外側（外部）の展開図である。
【図７】菓子類用包装パッケージの『あけくち』正面図である。
【図８】図７の反対側の菓子類用包装パッケージ正面図である。
【図９】本発明に係る『あけくち』を別方向へ移動させた場合の菓子類用包装パッケージの完成を示す斜視図である。
【図１０】本発明に係る『あけくち』を別方向へ移動させた場合の菓子類用包装パッケージの図９に示す菓子類用包装パッケージを形成する板状の包装紙内側（内部）の展開図である。
【図１１】図１０と同じく、菓子類用包装パッケージを形成する板状の包装紙外側（外部）の展開図である。
【図１２】本発明に係る『あけくち』を別方向へ移動させた場合の図９が示す菓子類用包装パッケージの『あけくち』正面図である。
【図１３】図１２の反対側の菓子類用包装パッケージの正面図である。
【図１４】本発明に係る『あけくち』を図９と対になる反対側方向へ移動させた場合の菓子類用包装パッケージの完成を示す斜視図である。
【図１５】本発明に係る『あけくち』を別方向へ移動させた場合の菓子類用包装パッケージの図１４に示す菓子類用包装パッケージを形成する板状の包装紙内側（内部）の展開図である。
【図１６】図１５と同じく、菓子類用包装パッケージを形成する板状の包装紙外側（外部）の展開図である。
【図１７】本発明に係る『あけくち』を別方向へ移動させた場合の図１４が示す菓子類用包装パッケージの『あけくち』正面図である。
【図１８】図１７の反対側の菓子類用包装パッケージ正面図である。
【発明を実施するための形態】
【００１３】  以下、本発明の実施例について、図面を参照して詳細に説明する。
【００１４】  図１は、本発明に係る菓子類用包装パッケージの実施例を示す斜視図である。
【００１５】  図１に示されるように、菓子類用包装パッケージ１は、断面が長方形をした角筒状の胴部２を有する直方体形状を成している。胴部２の一端には、内部の製品を開口して取り出すための『あけくち』３を備えている。
【００１６】  菓子類用包装パッケージ１は、図２にその展開図を示す板状の包装紙１０により、製品を包み込むように包装する。この板状の包装紙１０は、４つの筒壁１１，１２，１３，１４と接着片１５が折線Ａ，Ｂ，Ｃ，Ｄを介して横方向に連設している。
【００１７】  図２に示す１１のｇ線部分までがのりしろで、１１のｇ線と１５の端をそろえて貼り合わせ、図５に示す３０を形成する。正確には、図６が示す１１のｇ‘までのり付けされ、この部分に、図６の１５の裏面、すなわち図２の１５と貼り合わす。
【００１８】  次に、図１、図３の『あけくち』を正面の６方向から見て、図２に示す１６ｂと１６ｂ‘を貼り合わせた部分が１６となる。この１６を先に上方向に折り込み、続いて１７部分を下方向へ１６の上にかぶさるように折り込み、貼り合わせる。
【００１９】  次に、１６と１７を貼り合わせた際に生じる余りの部分を、三角形となるように折り曲げ形成された１８と１９を、１６と１７を貼り合わせた面方向の上に貼り合わせ、図７の６が完成する。
【００２０】  同様に、反対側７方向から図１、図３、図４が示すように、図２に示す２０ａと２０ａ‘を貼り合わせた部分が２０となる。この２０を先に上方向に折り込み、続いて２１部分を下方向へ２０の上にかぶさるように折り込み、貼り合わせる。
【００２１】  次に、２０と２１を貼り合わせた際に生じる余りの部分を、三角形となるように折り曲げ形成された２２と２３を、２０と２１を貼り合わせた面方向の上に貼り合わせ、図８の７が完成する。
【００２２】  図２、図４、図６、図８の５の部分は、『あけくち』３の形成途上で生じるへこみである。
【００２３】  図２の展開図は、内側（内部）の製品を包み込む側を表し、Ａ，Ｂ，Ｃ，Ｄ，Ｅ，Ｆ，Ｇ，Ｈ，Ｉ，Ｊ，Ｋ，Ｌ，Ｍ，Ｎ，Ｏ，Ｐ，Ｑ，Ｒ，Ｓ，Ｔ，Ｕ，Ｖは、すべて谷折りとなる。
【００２４】  図６の展開図は、製品の外側（外部）を表し、Ａ′，Ｂ′，Ｃ′，Ｄ′，Ｅ′，Ｆ′，Ｇ′，Ｈ′，Ｉ′，Ｊ′，Ｋ′，Ｌ′，Ｍ′，Ｎ′，Ｏ′，Ｐ′，Ｑ′，Ｒ′，Ｓ′，Ｔ′，Ｕ′，Ｖ′は、すべて山折りとなる。
【００２５】  内部の製品を容易に取り出せ、途中で切れたり破れたりしないようにし、さらに切り口をきれいにカットするため、ビニールもしくはプラスチック製の帯状になったシート状のテープ５０を図２に示す。このテープ５０は、図１の４に示すように、製品内側の天井部分１３の裏側へ貼り合わせたものである。
【００２６】  内部の製品を取り出す際は、図１、図３、図７に示す『あけくち』３の部分を製品上方へ引っ張り上げて、その後取り出したい製品の長さ分だけ後方へめくり、中の製品を取り出す。
【００２７】  図１の４の裏側部分で、図２の５０のシート状テープの横幅は、製品の種類、形状、大きさ、外装パッケージに包装される製品の個数等に応じて、より細かくそれぞれの製品の状況に合った取り出しやすい切り口となるよう、横幅をその都度選択し、適宜変更して決定すればよい。
【００２８】  図９、図１４が示すように、１８もしくは１９の部分のどちらか一方のみをそのまま『あけくち』として使用し、この部分へは接着、のり付け固定せず、その三角形の形状部分を『あけくち』３の代わりに使用することで、『あけくち』３をして、『あけくち』３を形成せず、図９、図１２が示すように、１８の部分を『あけくち』４０、図１４、図１７が示すように、１９の部分を『あけくち』４２にそれぞれ変更して使用することも可能である。
その場合、『あけくち』４０は、図９、図１０が示すように、筒壁１２に対しての開封口となり、『あけくち』４２は、図１４、図１５が示すように、筒壁１４に対しての開封口となる。
【００２９】  図１、図３の１８の『あけくち』部分をわかりやすいように、丸型にカットして『あけくち』４０を形成する場合、図１０および図１１のように、板状の包装紙１０の４１部分のみをカットする。
この『あけくち』４０では、４０の形成時に４１部分をカットする際には、反対側部分のへこみは発生しない。
【００３０】  同様に、図１、図３の１９の『あけくち』部分をわかりやすいように、丸型にカットして『あけくち』４２を形成する場合、図１５および図１６のように、板状の包装紙１０の４３部分のみをカットする。
この『あけくち』４２では、４２の形成時に４３部分をカットする際には、反対側部分のへこみは発生しない。
【００３１】  図１０の展開図は、図９、図１２が示す『あけくち』４０の内側（内部）の製品を包み込む側を表し、ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖは、折線となり、すべて谷折りとなる。
【００３２】  図１０の裏側となる図１１の展開図は、製品の外側（外部）を表し、ａ′，ｂ′，ｃ′，ｄ′，ｅ′，ｆ′，ｇ′，ｈ′，ｉ′，ｊ′，ｋ′，ｌ′，ｍ′，ｎ′，ｏ′，ｐ′，ｑ′，ｒ′，ｓ′，ｔ′，ｕ′，ｖ′は、折線となり、すべて山折りとなる。
【００３３】  図１５の展開図は、図１４、図１７が示す『あけくち』４２の内側（内部）の製品を包み込む側を表し、ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖは、折線となり、すべて谷折りとなる。
【００３４】  図１６の展開図は、図１５の裏側となる製品の外側（外部）を表し、ａ′，ｂ′，ｃ′，ｄ′，ｅ′，ｆ′，ｇ′，ｈ′，ｉ′，ｊ′，ｋ′，ｌ′，ｍ′，ｎ′，ｏ′，ｐ′，ｑ′，ｒ′，ｓ′，ｔ′，ｕ′，ｖ′は、折線となり、すべて山折りとなる。
【符号の説明】
【００３５】１  菓子類用包装パッケージ
２  胴部
３  『あけくち』
４  『あけくち』より開口して製品を取り出して行くための開口予定の切り口
５  ３の形成過程で生じたへこみ部分
６  『あけくち』正面図
７  『あけくち』と反対側正面図
１０  板状の包装紙
１６  １６ｂと１６ｂ′を貼り合わせた部分
１８  １６と１７を貼り合わせた際に生じる余りの部分
１９  １６と１７を貼り合わせた際に生じる余りの部分で、１８と対にできる向かい側の部分
２０  ２０ａと２０ａ′を貼り合わせた部分
２２  ２０と２１を貼り合わせた際に生じる余りの部分
２３  ２０と２１貼り合わせた際に生じる余りの部分で、２２と対にできる向かい側の部分
３０  １１と１５を貼り合わせた際にできる胴部の面
４０  製品上部１３の開封口となる『あけくち』３を１２の面が開封口となるように移動した『あけくち』
４１  『あけくち』４０を形成するためにカットされる部分
４２  製品上部１３の開封口となる『あけくち』３を１４の面が開封口となるように移動した『あけくち』
４３  『あけくち』４２を形成するためにカットされる部分
５０  『あけくち』より開口を円滑に、途中で切れないように、見た目も美しく均等に開口するためのビニールもしくはプラスチック製のシート状のテープ
５１  『あけくち』より開口を円滑に、途中で切れないように、見た目も美しく均等に開口するため、『あけくち』４０の場合に設けるビニールもしくはプラスチック製のシート状のテープ
５２  『あけくち』より開口を円滑に、途中で切れないように、見た目も美しく均等に開口するため、『あけくち』４２の場合に設けるビニールもしくはプラスチック製のシート状のテープ
Ａ，Ｂ，Ｃ，Ｄ，Ｅ，Ｆ，Ｇ，Ｈ，Ｉ，Ｊ，Ｋ，Ｌ，Ｍ，Ｎ，Ｏ，Ｐ，Ｑ，Ｒ，Ｓ，Ｔ，Ｕ，Ｖ  すべて折線を表し、谷折りとなる。
Ａ′，Ｂ′，Ｃ′，Ｄ′，Ｅ′，Ｆ′，Ｇ′，Ｈ′，Ｉ′，Ｊ′，Ｋ′，Ｌ′，Ｍ′，Ｎ′，Ｏ′，Ｐ′，Ｑ′，Ｒ′，Ｓ′，Ｔ′，Ｕ′，Ｖ′  すべて折線を表し、山折りとなる。
ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖ  すべて折線を表し、谷折りとなる。
ａ′，ｂ′，ｃ′，ｄ′，ｅ′，ｆ′，ｇ′，ｈ′，ｉ′，ｊ′，ｋ′，ｌ′，ｍ′，ｎ′，ｏ′，ｐ′，ｑ′，ｒ′，ｓ′，ｔ′，ｕ′，ｖ′  すべて折線を表し、山折りとなる。
図２の１１のｇ  ｇ′の裏側部分
図６の１１のｇ′  １１と１５を貼り合わせる際の、のりしろ境界部分でｇ′まで接着。図６の１５の裏面端と、ｇ′の境界部分を合わせる。
図１０、図１５の１１のＧ  Ｇ′の裏側部分
図１１、図１６の１１のＧ′  １１と１５を貼り合わせる際の、のりしろ境界部分でＧ′まで接着。図６の１５の裏面端と、Ｇ′の境界部分を合わせる。
【図１】
2012096848.tif 000003
【図２】
2012096848.tif 000004
【図３】
2012096848.tif 000005
【図４】
2012096848.tif 000006
【図５】
2012096848.tif 000007
【図６】
2012096848.tif 000008
【図７】
2012096848.tif 000009
【図８】
2012096848.tif 000010
【図９】
2012096848.tif 000011
【図１０】
2012096848.tif 000012
【図１１】
2012096848.tif 000013
【図１２】
2012096848.tif 000014
【図１３】
2012096848.tif 000015
【図１４】
2012096848.tif 000016
【図１５】
2012096848.tif 000017
【図１６】
2012096848.tif 000018
【図１７】
2012096848.tif 000019
【図１８】
2012096848.tif 000020